(57)【要約】      （修正有）【課題】可動部材の前端部の開閉扉を球入口から前側へ突出させかつ傾倒させることにより、可動部材を前側へ移動させる長さ分装置全体の上下寸法を短くすることができ、狭いスペースでも容易に取付けられるようにした遊技球入賞装置を提供する。【解決手段】球入口２が開設される取付板１と、前後に回動して前記球入口２を開閉する開閉扉２１と、前記取付板１の裏側に配置され前記開閉扉２１の下部を軸着する可動部材２０と、前記可動部材２０を前後動させる駆動手段とからなり、前記可動部材２０が前側へ移動したとき前記開閉扉２１が前記球入口２から前側へ突出しかつ傾倒してパチンコ球を前記球入口２に受け入れ、前記可動部材２０が後側へ移動したとき前記開閉扉２１が起立して前記球入口２を塞ぐようにした。【選択図】  図１０
2004350868.tif 000002
【特許請求の範囲】
【請求項１】
球入口が開設される取付板と、前後に回動して前記球入口を開閉する開閉扉と、前記取付板の裏側に配置され前記開閉扉の下部を軸着する可動部材と、前記可動部材を前後動させる駆動手段とからなり、前記可動部材が前側へ移動したとき前記開閉扉が前記球入口から前側へ突出しかつ傾倒してパチンコ球を前記球入口に受け入れ、前記可動部材が後側へ移動したとき前記開閉扉が起立して前記球入口を塞ぐようにしたことを特徴とする遊技球入賞装置。
【請求項２】
前記開閉扉の裏側に該開閉扉が前側へ傾倒したときその上面で受け止められ球入口へ流入したパチンコ球を円滑に転動させ後方へ送り込む案内板を配置した請求項１記載の遊技球入賞装置。
【発明の詳細な説明】
【０００１】
【発明の属する技術分野】
本発明は、遊技盤面に取り付けられる取付板に球入口を開設すると共に該球入口に前後に回動して前記球入口を開閉する開閉扉を装着した遊技球入賞装置に関するものである。
【０００２】
【従来の技術】
この種遊技球入賞装置は、例えば遊技盤面に可変表示装置と共に使用され、該可変表示装置の前面表示部の表示が変動し一定時間経過後に停止して特定の組合せに揃ったとき球入口を開成して一度に多くの入賞球が得られるように作動する。このような遊技球入賞装置である入賞装置としては、例えば遊技盤面に取り付けられる前基板に横長の大入賞口を開設し、この大入賞口に適宜駆動手段により開閉駆動機構を介し前後に回動して前記大入賞口を開閉する開閉部材を軸着し、大入賞口内にはパチンコ球が入賞する第１・２通出口を設けており、また、その真下に接するようにして検出スイッチを水平に配置したものがある（特許文献１参照。）。
【０００３】
【特許文献１】
特開平８−８４８１３号公報（第３−４頁、図１，図１１）
【０００４】
【発明が解決しようとする課題】
ところで、遊技盤のほぼ中央に配置される可変表示装置は顧客の興味を引き遊技の興趣を高めるために年々大型化する傾向にあり、その影響を受けて前記可変表示装置下方の入賞装置を装着するスペースが徐々に狭くなってきている。このため、入賞装置の上下寸法を極力短くする努力がなされている。前記特許文献１に示されるような入賞装置にあっても、その本体サイズに合わせて開閉部材を作動させる開閉駆動機構を前後横向きに組付けるなどして上下寸法を短くしているが、まだ改良できる余地が残されている。
【０００５】
そこで、本発明は上記課題に鑑みてなされたもので、開閉扉の下部を可動部材に軸着すると共に可動部材を前側へ移動させて開閉扉を球入口から前側へ突出させることにより、可動部材を前側へ移動させる長さ分開閉扉更には装置全体の上下寸法を極力短くすることができ、狭いスペースでも容易に取付けられるようにした遊技球入賞装置を提供することを目的とするものである。
【０００６】
【課題を解決するための手段】
かかる目的を達成するため、本発明の遊技球入賞装置は、球入口が開設される取付板と、前後に回動して前記球入口を開閉する開閉扉と、前記取付板の裏側に配置され前記開閉扉の下部を軸着する可動部材と、前記可動部材を前後動させる駆動手段とからなり、前記可動部材が前側へ移動したとき前記開閉扉が前記球入口から前側へ突出しかつ傾倒してパチンコ球を前記球入口に受け入れ、前記可動部材が後側へ移動したとき前記開閉扉が起立して前記球入口を塞ぐようにした構成からなる。
【０００７】
通常、遊技盤の前面からパチンコ遊技機の前面に装着され遊技盤の前面を覆う透明板保持枠の透明板までの距離は所定の寸法に設定される。また、開閉扉は下部の支軸を支点にして前側へ傾倒したとき、その上端縁が前記透明板保持枠の透明板からほぼ５ｍｍ以内に位置するようになっている。これは、その間に直径約１１ｍｍのパチンコ球が載ってしまい開閉扉の回動動作に支障を来たさないようにするためである。このことから、前記開閉扉の上下寸法は一定の寸法に決まってしまうところ、本発明は、開閉扉の下部を可動部材に軸着すると共に可動部材を前側へ移動させて開閉扉を球入口から前側へ突出させかつ傾倒させるようにしたので、可動部材を前側へ移動させる長さ分開閉扉更には遊技球入賞装置全体の上下寸法を極力短くすることができる。
【０００８】
また、この際、前記開閉扉の裏側に該開閉扉が前側へ傾倒したときその上面で受け止められ球入口へ流入したパチンコ球を円滑に転動させ後方へ送り込む案内板を配置することが好ましい。
【０００９】
【発明の実施の形態】
以下、本発明に係る遊技球入賞装置の実施の形態を図面に基づき説明する。図１は遊技球入賞装置の斜視図、図２は同分解斜視図、図３は同一部切欠平面図である。図において、１は後記する遊技盤４２の前面に取り付けられる取付板であり、横長に成形されると共にほぼ中央に同じく横長方形状の球入口２が開設される。前記取付板１の裏側には、前記球入口２を囲うようにして略直方体形状をなす空洞のケース体３が配設される。このケース体３の上下寸法は取付板１の同寸法よりも少し短く設定されている。
【００１０】
前記ケース体３は、前後に二分割され前半ケース部３ａと後半ケース部３ｂとからなる。そして、前記球入口２と連通する前半ケース部３ａ内には、天板４ａと底部の誘導板４ｂと両側の内側板４ｃ，４ｃと後方の中間板４ｄとにより囲まれる球誘導部５が成形され、この球誘導部５の後側に前記中間板４ｄに設けられた球通口６を介し連通させて一般入賞口７ａと特別入賞口７ｂとが左右に並置されている。これら一般・特別入賞口７ａ，７ｂに入賞するパチンコ球はその下側にそれぞれ設けられた球検出器８により検出される。
【００１１】
前記特別入賞口７ｂの外側近傍には、前後端部を前記中間板４ｄ及び前半ケース部３ａと後半ケース部３ｂとの間の仕切壁９に支持する支軸１０がほぼ水平に配置され、この支軸１０に止部材１１が上下方向に自在に回動するように軸支されている。止部材１１は、前記支軸１０に遊嵌される軸筒部１１ａとその外周面一側にその長手方向に沿って張設される止板部１１ｂとからなる。一方、前記止部材１１の後端部には支持片１２が垂下され、その後面に後半ケース部３ｂ内に位置するようにして平行な左右一対の係合杆１３，１３が突設されている。後半ケース部３ｂ内には、天壁１４ａと底壁１４ｂとに設けられた方形状の上部枠１５ａと下部枠１５ｂとに挟まれるようにして第一電磁ソレノイド１６が横向きに配置され、図４に示すようにそのプランジャー１７先端に取着された補助板１８が前記止部材１１の両係合杆１３，１３間に介在している。
【００１２】
前記止板部１１ｂは特別入賞口７ｂ側に配置される。前記第一電磁ソレノイド１６は常には消磁しており、このとき図５実線に示すように止板部１１ｂは特別入賞口７ｂの上面とほぼ平行となり、特別入賞口７ｂの上面までの距離はパチンコ球Ｂの直径よりも短い寸法になっている。この状態では、止板部１１ｂの前端縁の外側が球通口６の一側に臨み、球通口６に流入したパチンコ球Ｂが特別入賞口７ｂに入賞するのを阻止するようにしている。そして、第一電磁ソレノイド１６が励磁すると、プランジャー１７が巻装されるスプリングの付勢に抗して収縮して図５鎖線に示すように止部材１１が回動し止板部１１ｂの外側縁を上方へ跳ね上げる。これにより、止板部１１ｂと特別入賞口７ｂの上面との距離がパチンコ球Ｂの直径よりも広がり、球通口６に流入したパチンコ球Ｂが特別入賞口７ｂにも入賞することになる。
【００１３】
前記ケース体３内の左右両側に、前記球入口２の横幅とほぼ同じ間隔離しかつ前端面が開放されると共に球入口２と連通する縦長状の摺動溝１９，１９がほぼ平行に配置される。そして、これら各摺動溝１９内に細長直線状の可動部材２０が収容され、各摺動溝１９内に沿って前後に自在に移動すなわち摺動するようになっている。
【００１４】
そして、前記両可動部材２０，２０の前端部２０ａ，２０ａ間に開閉扉２１が配置される。この開閉扉２１の両側下部に軸孔２２が設けられており、両可動部材２０，２０の前端部２０ａに設けられる透孔２３に挿通された軸ピン２４が前記各軸孔２２にそれぞれ遊挿される。これら前端部２０ａが開閉扉２１の軸支部となる。また、開閉扉２１の前面には前側へ傾倒したとき取付板１の前面に当接して受け止められたパチンコ球が球入口２へ流入するように開閉扉２１を所定の角度で停止させる停止板２５が突設される。開閉扉２１は前後へ回動できかつ常に前側へ傾倒するようにその重心位置が設けられている。更に、開閉扉２１の両側下縁には下方へ突出する梃片２１ａ，２１ａが設けられる。これら梃片２１ａ，２１ａは開閉扉２１が球入口２の前側から後退するとき前記取付板１の前面に当接して球入口２を塞ぐべく開閉扉２１を起立させるためのものである。前記開閉扉２１の裏側下部に該開閉扉２１が前側へ傾倒したときその上面で受け止められ球入口２へ流入したパチンコ球を円滑に転動させ後方へ送り込む案内板２６が配置される。この案内板２６も両側に開設された各軸孔２７に前記各軸ピン２４が遊挿され、開閉扉２１とは別個に回動できるようになっている。そして、常には案内板２６の下端縁が前記前半ケース部３ａ、詳しくは球誘導部５の誘導板４ｂの上面に接触している。
【００１５】
前記両可動部材２０，２０の後部上面には、その上面に沿って第一ラック２８が設けられる。前記後半ケース部３ｂ内に、前記両可動部材２０，２０と直交するようにして駆動軸２９がほぼ水平に配置される。この駆動軸２９はその両端部を両側壁１４ｃ，１４ｃに軸着される。また、図６に示すように駆動軸２９の両端側に前記各第一ラック２８と噛合する第一ピニオン３０，３０が取着され、一方の第一ピニオン３０の外側であって前記駆動軸２９に第二ピニオン３１が取着されている。前記前半ケース部３ａの一側外側に駆動軸２９と直交するプランジャー３３が前記後半ケース部３ｂ内に位置する第二電磁ソレノイド３２が配設される。前記プランジャー３３の先端部には図７に示すように第二ピニオン３１に対応位置するようにして摺動板３４が一体に設けられ、その上面に前記第二ピニオン３１と噛合する第二ラック３５が設けられている。
【００１６】
そこで、前記第二電磁ソレノイド３２が消磁しているときは、前記駆動軸２９が前回りに回転して両可動部材２０，２０を後側へ摺動させており、図８実線に示すように球入口２は起立する開閉扉２１によって閉塞されている。この状態で、第二電磁ソレノイド３２が励磁しそのプランジャー３３が巻装されるスプリングの付勢に抗して収縮すると、第二ラック３５、第二ピニオン３１を介し駆動軸２９が後回りに回転して前記両可動部材２０，２０を前側へ摺動させる。この際、両可動部材２０，２０の各前端部２０ａが球入口２から前側へ突出し、同時に図８鎖線に示すように開閉扉２１が前側へ傾倒する。
【００１７】
後半ケース部３ｂ内は、周囲を天壁１４ａ、底壁１４ｂ、両側壁１４ｃ、仕切壁９、後壁１４ｄによりほぼ密閉状に囲われており、天壁１４ａ、底壁１４ｂにおける第一電磁ソレノイド１６に対応する位置に方形状の放熱孔３６，３６が開設されている。また、天壁１４ａにおける各第一ピニオン３０、第二ピニオン３１に対応する位置には、それぞれ第一・第二ピニオン３０，３１が臨んで一部介入する逃し孔３７ａ，３７ｂが開設されている。これら逃し孔３７ａ，３７ｂ内に外側面から外側へ突出しない範囲で前記第一・第二ピニオン３０，３１の一部を介入させることにより、その分ケース体３の上下寸法を短くして遊技球入賞装置Ａをコンパクトにし、同時に、それら逃し孔３７ａ，３７ｂから後半ケース部３ｂ内にこもる熱を放散させる機能も有する。
【００１８】
本発明は上記構成からなり、次に作用について説明する。図９は本発明が適用されるパチンコ遊技機の正面図である。図において、４０はパチンコ遊技機Ｐにおける木製の外枠であって、その前面に前枠４１が回動自在に装着される。前記前枠４１には窓口（図示せず。）が開設され、該前枠４１の裏面に配置固定される遊技盤４２前面の遊技部４２ａが前記窓口に臨むようになっている。前記前枠４１の前面に、遊技盤４２の遊技部４２ａを覆う２枚の透明板であるガラス板４３を備えた透明板保持枠４４が回動可能に装着される。また、透明板保持枠４４の下方には打球供給皿４５を設けた前板４６が装着され、前枠４１の下部前面には、余剰球受皿４７が設けられると共にその一側に操作ハンドル４８が設けられている。
【００１９】
前記遊技盤４２の前面には、遊技部４２ａを囲うようにして内側ガイドレール４９ａと外側ガイドレール４９ｂとが渦巻き状に配設される。前記遊技部４２ａには、例えば、ほぼ中央に表示部５０ａを備えた可変表示装置５０が配置され、また、その下方にパチンコ球の入賞により前記表示部５０ａの文字、数字、図形等の表示を変動表示させる始動入賞口５１が配置される。更に、その下方に本発明の遊技球入賞装置Ａが装着される。
【００２０】
そして、前記始動入賞口５１にパチンコ球が入賞することにより可変表示装置５０の表示部５０ａの表示が変動する。次いで、その表示が一定の時間経過後に停止して特定の表示（例えば「７７７」）を示し、遊技者にとって有利な特別遊技状態になったとき、一定の条件の下で開閉扉２１が所定回数開成され一度に多くの入賞球が得られようになっている。すなわち、第二電磁ソレノイド３２が励磁してそのプランジャー３３が巻装されるスプリングの付勢に抗して収縮すると共に摺動板３４が後退する。これにより、駆動軸２９が後回りに回転すると共に図１０（イ）実線に示すように両可動部材２０，２０が前側へ摺動してその軸着部である前端部２０ａ，２０ａが球入口２から前方へ突出する。同時に、開閉扉２１がその自重により前側へ傾倒し停止板２５が取付板１の前面に当接して所定角度開く。そして、取付板１でパチンコ球Ｂを受け止め球入口２内に流入させる。この際、開閉扉２１の上端縁２１ｂは、遊技盤４２の前面を覆う透明板保持枠４４のガラス板４３からほぼ５ｍｍ以内に位置する。
【００２１】
開閉扉２１が前側へ傾倒し球入口２が開成されると、前記第一電磁ソレノイド１６が励磁して止板部１１ｂを跳ね上げ、特別入賞口７ｂにもパチンコ球が入賞できるようになる。この状態では、開閉扉２１に受け止められるパチンコ球Ｂは、球入口２に流入して球誘導部５内に入り、更に球通口６を介して一般入賞口７ａまたは特別入賞口７ｂのいずれかに入賞する。特別入賞口７ｂに一個のパチンコ球Ｂが入賞すると、第一電磁ソレノイド１６が消磁して止板部１１ｂが底壁１４ｂとほぼ平行となる位置まで下方へ回動し、特別入賞口７ｂへのそれ以上のパチンコ球の入賞を阻止する。これは、通常、球入口２が開成している間に特別入賞口７ｂに少なくとも１個パチンコ球が入賞すると、閉成後再び開成するようになっている（この動作は一定の条件で１６回繰り返される。）。そこで、その間の特別入賞口７ｂへのパチンコ球の入賞する入賞確率を３０パーセント以内に抑えることになっているからである。
【００２２】
そして、一般入賞口７ａまたは特別入賞口７ｂに合わせて１０個のパチンコ球が入賞すると、第二電磁ソレノイド３２が消磁し巻装されるスプリングの付勢によってプランジャー３３が突出して駆動軸２９を前回りに回動させる。これにより、両可動部材２０，２０が後退してそれら前端部２０ａ，２０ａが球入口２内に入る。この両可動部材２０，２０が後側へ摺動するとき、図１０（ロ）鎖線に示すように各梃片２１ａが取付板１の前面に当たり停止すると共にこの点を支点として上端縁２１ｂ側が上がり同図実線に示すように開閉扉２１が起立して球入口２を塞ぐ。
【００２３】
このように、開閉扉２１は、球入口２を開成するときその軸着部が前側ヘ移動するので、その分開閉扉２１の上下寸法を短くすることができ、これに伴い球入口２更には遊技球入賞装置Ａの上下寸法も短くできる。よって、狭いスペースであっても遊技球入賞装置Ａが容易に取り付けできることになる。また、可動部材２０を前後に移動させるストロークは少なく、第二ソレノイド３２が小型化されていても十分使用でき装置全体が大型化することはない。
【００２４】
【発明の効果】
以上説明したように本発明は、開閉扉の下部を可動部材に軸着すると共に可動部材を前側へ移動させて開閉扉を球入口から前側へ突出させかつ傾倒させるようにしたので、前記可動部材すなわち開閉扉が前方へ移動する寸法分開閉扉の上下寸法を短くでき、更には遊技球入賞装置全体の上下寸法を短くすることができる。これにより、狭い取付けスペースであっても遊技球入賞装置を容易に取り付けられるという効果がある。
【００２５】
また、開閉扉の裏側に案内板を配置するようにしたので、開閉扉が前側へ傾倒して球入口へ受け入れられたパチンコ球はその上面に載り円滑に転動して後方へ送り込まれることとなり、球入口付近で球詰まりを起こすことがないという効果がある。
【図面の簡単な説明】
【図１】本発明に係る遊技球入賞装置の斜視図。
【図２】同分解斜視図。
【図３】同一部切欠平面図。
【図４】図３のＶ−Ｖ線断面図。
【図５】図３のＷ−Ｗ線断面図。
【図６】図３のＸ−Ｘ線断面図。
【図７】図３のＹ−Ｙ線断面図。
【図８】図３のＺ−Ｚ線断面図。
【図９】本発明が適用されるパチンコ遊技機の正面図。
【図１０】遊技球入賞装置の作用を示す側面断面図。遊技球入賞装置の作用を示す側面断面図。
【符号の説明】
１                  取付板
２                  球入口
２０                可動部材
２１                開閉扉
２６                案内板
３２                駆動手段（第二電磁ソレノイド）
Ａ                  遊技球入賞装置
Ｂ                  パチンコ球
【図１】
2004350868.tif 000003
【図２】
2004350868.tif 000004
【図３】
2004350868.tif 000005
【図４】
2004350868.tif 000006
【図５】
2004350868.tif 000007
【図６】
2004350868.tif 000008
【図７】
2004350868.tif 000009
【図８】
2004350868.tif 000010
【図９】
2004350868.tif 000011
【図１０】
2004350868.tif 000012
【手続補正書】
【提出日】平成15年5月29日(2003.5.29)
【手続補正１】
【補正対象書類名】明細書
【補正対象項目名】図面の簡単な説明
【補正方法】変更
【補正の内容】
【図面の簡単な説明】
【図１】本発明に係る遊技球入賞装置の斜視図。
【図２】同分解斜視図。
【図３】同一部切欠平面図。
【図４】図３のＶ−Ｖ線断面図。
【図５】図３のＷ−Ｗ線断面図。
【図６】図３のＸ−Ｘ線断面図。
【図７】図３のＹ−Ｙ線断面図。
【図８】図３のＺ−Ｚ線断面図。
【図９】本発明が適用されるパチンコ遊技機の正面図。
【図１０】（イ）遊技球入賞装置の作用を示す側面断面図。
（ロ）遊技球入賞装置の作用を示す側面断面図。
【符号の説明】
１                  取付板
２                  球入口
２０                可動部材
２１                開閉扉
２６                案内板
３２                駆動手段（第二電磁ソレノイド）
Ａ                  遊技球入賞装置
Ｂ                  パチンコ球